(57)【要約】【課題】呼処理サーバにおける輻輳状態を解消するために、加入者データの検索処理を行うことなく、比較的処理コストが低い方法で呼の優先度の判別を行う。【解決手段】呼処理装置１は、加入者の優先度にもとづいて端末用のポート番号を決定する決定手段１３と、端末に端末アドレスを割り当て、割り当てた端末アドレスと、呼処理装置１のアドレスとしてアドレス変換装置２のアドレスとを端末に送信するアドレス割当手段１４と、呼処理装置１のアドレスおよびポート番号と、端末アドレスとをアドレス変換装置２に送信し、アドレス変換テーブル２１に登録させる制御手段１３と、輻輳状態においてアドレス変換装置２によりアドレス変換された端末が送信した呼を受信し、当該呼の送信先アドレスのポート番号が優先ポートの場合は当該呼を処理し、非優先ポートの場合は当該呼を破棄する呼処理手段１１と、を有する。【選択図】図２
2011049678.tif 000002
【特許請求の範囲】
【請求項１】
輻輳状態において端末から送信された呼を処理する呼処理装置であって、
前記端末を使用する加入者の優先度を記憶する加入者情報記憶手段と、
前記加入者の優先度にもとづいて、前記端末用のポート番号を決定する決定手段と、
前記端末に端末アドレスを割り当て、割り当てた端末アドレスと、呼処理装置のアドレスとしてアドレス変換装置のアドレスとを当該端末に送信するアドレス割当手段と、
当該呼処理装置のアドレスおよび前記決定手段が決定したポート番号と、前記アドレス割当手段が割り当てた端末アドレスとを前記アドレス変換装置に送信し、当該アドレス変換装置のアドレス変換テーブルに登録させる制御手段と、
前記アドレス変換装置により送信元アドレスおよび送信先アドレスが変換された、前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理手段と、を有すること
を特徴とする呼処理装置。
【請求項２】
請求項１記載の呼処理装置であって、
前記決定手段は、前記加入者の優先度が高優先の場合は、優先ポートのポート番号を割り当て、前記加入者の優先度が低優先の場合は、非優先ポートのポート番号を割り当てること
を特徴とする呼処理装置。
【請求項３】
輻輳状態において端末から送信された呼を処理する呼処理装置であって、
前記端末を使用する加入者の優先度を記憶する加入者情報記憶手段と、
前記加入者の優先度にもとづいて、前記端末用のポート番号を決定する決定手段と、
前記端末に端末アドレスを割り当て、割り当てた端末アドレスと、当該呼処理装置のアドレスおよび前記ポート番号とを当該端末に送信するアドレス割当手段と、
前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理手段と、を有すること
を特徴とする呼処理装置。
【請求項４】
請求項３記載の呼処理装置であって、
前記決定手段は、前記加入者の優先度が高優先の場合は、優先ポートのポート番号を割り当て、前記加入者の優先度が低優先の場合は、非優先ポートのポート番号を割り当てること
を特徴とする呼処理装置。
【請求項５】
輻輳状態において端末から送信された呼を処理する呼処理システムであって、
呼処理サーバとアドレス変換装置とを有し、
前記呼処理サーバは、
前記端末を使用する加入者の優先度を記憶する加入者情報記憶手段と、
前記加入者の優先度にもとづいて、前記端末用のポート番号を決定する決定手段と、
前記端末に端末アドレスを割り当て、割り当てた端末アドレスと、呼処理装置のアドレスとしてアドレス変換装置のアドレスとを当該端末に送信するアドレス割当手段と、
当該呼処理装置のアドレスおよび前記決定手段が決定したポート番号と、前記アドレス割当手段が割り当てた端末アドレスとを前記アドレス変換装置に送信し、当該アドレス変換装置のアドレス変換テーブルに登録させる制御手段と、
前記アドレス変換装置により送信元アドレスおよび送信先アドレスが変換された、前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理手段と、を有し、
前記アドレス変換装置は、
前記呼処理装置から、前記呼処理装置のアドレスおよびポート番号と、前記端末アドレスとを受信し、これらを対応付けて前記アドレス変換テーブルに登録する登録手段と、
前記アドレス変換テーブルを参照し、前記端末が送信した呼の送信先アドレスを、送信元アドレスである端末アドレスに対応する前記呼処理装置のアドレスおよびポート番号に変換するとともに、前記端末が送信した呼の送信元アドレスを、端末アドレスから当該アドレス変換装置のアドレスに変換する変換手段とを有すること
を特徴とする呼処理システム。
【請求項６】
請求項５記載の呼処理システムであって、
前記決定手段は、前記加入者の優先度が高優先の場合は、優先ポートのポート番号を割り当て、前記加入者の優先度が低優先の場合は、非優先ポートのポート番号を割り当てること
を特徴とする呼処理システム。
【請求項７】
輻輳状態において端末から送信された呼を処理する呼処理方法であって、
呼処理装置は、
前記端末を使用する加入者の優先度を加入者情報記憶部に登録する登録ステップと、
前記加入者の優先度にもとづいて、前記端末用のポート番号を決定する決定ステップと、
前記端末に端末アドレスを割り当て、割り当てた端末アドレスと、呼処理装置のアドレスとしてアドレス変換装置のアドレスとを当該端末に送信するアドレス割当ステップと、
当該呼処理装置のアドレスおよび前記決定ステップで決定したポート番号と、前記アドレス割当ステップで割り当てた端末アドレスとを前記アドレス変換装置に送信し、当該アドレス変換装置のアドレス変換テーブルに登録させる制御ステップと、
前記アドレス変換装置により送信元アドレスおよび送信先アドレスが変換された、前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理ステップと、を行うこと
を特徴とする呼処理方法。
【請求項８】
輻輳状態において端末から送信された呼を処理する呼処理方法であって、
呼処理装置は、
前記端末を使用する加入者の優先度を加入者情報記憶部に登録する登録ステップと、
前記加入者の優先度にもとづいて、前記端末用のポート番号を決定する決定ステップと、
前記端末に端末アドレスを割り当て、割り当てた端末アドレスと、当該呼処理装置のアドレスおよび前記ポート番号とを当該端末に送信するアドレス割当ステップと、
前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理ステップと、を行うこと
を特徴とする呼処理方法。
【請求項９】
コンピュータが実行する、輻輳状態において端末から送信された呼を処理する呼処理プログラムであって、
前記コンピュータを、
前記端末を使用する加入者の優先度を記憶する加入者情報記憶手段、
前記加入者の優先度にもとづいて、前記端末用のポート番号を決定する決定手段、
前記端末に端末アドレスを割り当て、割り当てた端末アドレスと、呼処理装置のアドレスとしてアドレス変換装置のアドレスとを当該端末に送信するアドレス割当手段、
当該呼処理装置のアドレスおよび前記決定手段が決定したポート番号と、前記アドレス割当手段が割り当てた端末アドレスとを前記アドレス変換装置に送信し、当該アドレス変換装置のアドレス変換テーブルに登録させる制御手段、および
前記アドレス変換装置により送信元アドレスおよび送信先アドレスが変換された、前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理手段、として機能させること
を特徴とする呼処理プログラム。
【請求項１０】
コンピュータが実行する、輻輳状態において端末から送信された呼を処理する呼処理プログラムであって、
前記コンピュータを、
前記端末を使用する加入者の優先度を記憶する加入者情報記憶手段、
前記加入者の優先度にもとづいて、前記端末用のポート番号を決定する決定手段、
前記端末に端末アドレスを割り当て、割り当てた端末アドレスと、当該呼処理装置のアドレスおよび前記ポート番号とを当該端末に送信するアドレス割当手段、
前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理手段、として機能させること
を特徴とする呼処理プログラム。
【発明の詳細な説明】
【技術分野】
【０００１】
本発明は、ＩＰ電話サービス等を提供する呼処理装置において、呼処理装置の輻輳制御技術に関し、特に、呼処理装置が輻輳状態の場合に、優先度の高い呼のみを処理し、優先度の低い呼は処理せず破棄する輻輳制御技術に関する。
【背景技術】
【０００２】
近年、インターネットを使用した情報の取得や交換が普及し、インターネットの標準化がＩＥＴＦ  ＲＦＣ等で行われている。一方、国際通信連合（ＩＴＵ−Ｔ）では、２００１年から次世代通信網（ＮＧＮ）の国際標準化の議論が進められ、また国内においても２００５年にＴＴＣにＮＧＮアーキテクチャ専門委員会が設置され、接続インターフェースの標準化作業が進められている。
【０００３】
従来の銅線の加入者回線に代わって光ファイバによる高速かつ安定した品質のブロードバンドアクセスの需要が本格的に立ち上がり、国内の光アクセスサービス（ＦＴＴＨ）は１０００万加入に達しており、またＩＰ電話の利用も増大してきている。こうした状況を踏まえ、通信サービス提供事業者は、光ファイバ通信とＩＰ通信を融合させたＮＧＮの開発を開始している（例えば、非特許文献１、非特許文献２）。
【先行技術文献】
【非特許文献】
【０００４】
【非特許文献１】ＮＴＴ技術ジャーナル２００６．４「ＥＴＳＩＴＩＳＰＡＮのＮＧＮ標準化動向」
【非特許文献２】ＮＴＴ技術ジャーナル２００７．４「ＮＧＮが提供する新しいコミュニケーションとそれを支える技術」
【発明の概要】
【発明が解決しようとする課題】
【０００５】
呼処理サーバが輻輳状態になった場合、呼の受付数が呼処理サーバの処理限界を超えているため、全ての呼を受け付けて処理を行うと呼処理サーバの処理が正常に行われない。具体的には、ＳＩＰプロトコルで規定されたタイマ内に応答を返すことができず、呼接続ができない事態に陥る。
【０００６】
そのため、呼処理サーバでは輻輳状態になった際には輻輳状態を解消するために、受け付ける呼に優先度を付けて優先度の高い呼のみを処理し、優先度の低い呼については処理せずに破棄することを行う。従来の技術では、発呼した加入者の優先度を呼の優先度として用いており、呼処理サーバ上に加入者の優先度を含む加入者データを格納する。そして、呼を受け付ける度に、対応する加入者の加入者データを検索し、検索した加入者データの優先度を用いて受け付けた呼の優先度を判断して輻輳制御を行っている。
【０００７】
このように、呼を受け付ける度に呼処理サーバ上の加入者の優先度を取得する場合、輻輳状態において加入者データの検索処理を行わなければならず、輻輳状態において比較的処理コスト・処理負荷が高い検索処理を行う必要があり、輻輳状態を解消する効果が小さいという問題がある。
【０００８】
本発明は上記事情に鑑みてなされたものであり、本発明の目的は、呼処理サーバにおける輻輳状態を解消するために、加入者データの検索処理を行うことなく、比較的処理コストが低い方法で呼の優先度の判別を行う輻輳制御技術を提供することにある。
【課題を解決するための手段】
【０００９】
本発明は、輻輳状態において端末から送信された呼を処理する呼処理装置であって、前記端末を使用する加入者の優先度を記憶する加入者情報記憶手段と、前記加入者の優先度にもとづいて、前記端末用のポート番号を決定する決定手段と、前記端末に端末アドレスを割り当て、割り当てた端末アドレスと、呼処理装置のアドレスとしてアドレス変換装置のアドレスとを当該端末に送信するアドレス割当手段と、当該呼処理装置のアドレスおよび前記決定手段が決定したポート番号と、前記アドレス割当手段が割り当てた端末アドレスとを前記アドレス変換装置に送信し、当該アドレス変換装置のアドレス変換テーブルに登録させる制御手段と、前記アドレス変換装置により送信元アドレスおよび送信先アドレスが変換された、前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理手段と、を有する。
【００１０】
また、本発明は、輻輳状態において端末から送信された呼を処理する呼処理装置であって、前記端末を使用する加入者の優先度を記憶する加入者情報記憶手段と、前記加入者の優先度にもとづいて、前記端末用のポート番号を決定する決定手段と、前記端末に端末アドレスを割り当て、割り当てた端末アドレスと、当該呼処理装置のアドレスおよび前記ポート番号とを当該端末に送信するアドレス割当手段と、前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理手段と、を有する。
【００１１】
また、本発明は、輻輳状態において端末から送信された呼を処理する呼処理システムであって、呼処理サーバとアドレス変換装置とを有し、前記呼処理サーバは、前記端末を使用する加入者の優先度を記憶する加入者情報記憶手段と、前記加入者の優先度にもとづいて、前記端末用のポート番号を決定する決定手段と、前記端末に端末アドレスを割り当て、割り当てた端末アドレスと、呼処理装置のアドレスとしてアドレス変換装置のアドレスとを当該端末に送信するアドレス割当手段と、当該呼処理装置のアドレスおよび前記決定手段が決定したポート番号と、前記アドレス割当手段が割り当てた端末アドレスとを前記アドレス変換装置に送信し、当該アドレス変換装置のアドレス変換テーブルに登録させる制御手段と、前記アドレス変換装置により送信元アドレスおよび送信先アドレスが変換された、前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理手段とを有し、前記アドレス変換装置は、前記呼処理装置から、前記呼処理装置のアドレスおよびポート番号と、前記端末アドレスとを受信し、これらを対応付けて前記アドレス変換テーブルに登録する登録手段と、前記アドレス変換テーブルを参照し、前記端末が送信した呼の送信先アドレスを、送信元アドレスである端末アドレスに対応する前記呼処理装置のアドレスおよびポート番号に変換するとともに、前記端末が送信した呼の送信元アドレスを、端末アドレスから当該アドレス変換装置のアドレスに変換する変換手段とを有する。
【００１２】
また、本発明は、輻輳状態において端末から送信された呼を処理する呼処理方法であって、呼処理装置は、前記端末を使用する加入者の優先度を加入者情報記憶部に登録する登録ステップと、前記加入者の優先度にもとづいて、前記端末用のポート番号を決定する決定ステップと、前記端末に端末アドレスを割り当て、割り当てた端末アドレスと、呼処理装置のアドレスとしてアドレス変換装置のアドレスとを当該端末に送信するアドレス割当ステップと、当該呼処理装置のアドレスおよび前記決定ステップで決定したポート番号と、前記アドレス割当ステップで割り当てた端末アドレスとを前記アドレス変換装置に送信し、当該アドレス変換装置のアドレス変換テーブルに登録させる制御ステップと、前記アドレス変換装置により送信元アドレスおよび送信先アドレスが変換された、前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理ステップと、を行う。
【００１３】
また、本発明は、輻輳状態において端末から送信された呼を処理する呼処理方法であって、呼処理装置は、前記端末を使用する加入者の優先度を加入者情報記憶部に登録する登録ステップと、前記加入者の優先度にもとづいて、前記端末用のポート番号を決定する決定ステップと、前記端末に端末アドレスを割り当て、割り当てた端末アドレスと、当該呼処理装置のアドレスおよび前記ポート番号とを当該端末に送信するアドレス割当ステップと、前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理ステップと、を行う。
【００１４】
また、本発明は、コンピュータが実行する、輻輳状態において端末から送信された呼を処理する呼処理プログラムであって、前記コンピュータを、前記端末を使用する加入者の優先度を記憶する加入者情報記憶手段、前記加入者の優先度にもとづいて、前記端末用のポート番号を決定する決定手段、前記端末に端末アドレスを割り当て、割り当てた端末アドレスと、呼処理装置のアドレスとしてアドレス変換装置のアドレスとを当該端末に送信するアドレス割当手段、当該呼処理装置のアドレスおよび前記決定手段が決定したポート番号と、前記アドレス割当手段が割り当てた端末アドレスとを前記アドレス変換装置に送信し、当該アドレス変換装置のアドレス変換テーブルに登録させる制御手段、および、前記アドレス変換装置により送信元アドレスおよび送信先アドレスが変換された、前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理手段、として機能させる。
【００１５】
また、本発明は、コンピュータが実行する、輻輳状態において端末から送信された呼を処理する呼処理プログラムであって、前記コンピュータを、前記端末を使用する加入者の優先度を記憶する加入者情報記憶手段、前記加入者の優先度にもとづいて、前記端末用のポート番号を決定する決定手段、前記端末に端末アドレスを割り当て、割り当てた端末アドレスと、当該呼処理装置のアドレスおよび前記ポート番号とを当該端末に送信するアドレス割当手段、前記端末が送信した呼を受信し、当該呼の送信先アドレスのポート番号が優先ポートであるか非優先ポートであるかを判別し、優先ポートの場合は当該呼を処理し、非優先ポートの場合は当該呼を破棄する呼処理手段、として機能させる。
【発明の効果】
【００１６】
本発明によれば、呼処理サーバにおける輻輳状態を解消するために、加入者データの検索処理を行うことなく、比較的処理コストが低い方法で呼の優先度の判別を行う輻輳制御技術を提供することができる。
【図面の簡単な説明】
【００１７】
【図１】本発明の第１の実施形態に係る輻輳制御処理概要を示す図である。
【図２】本発明の第１の実施形態に係る呼処理システムの構成を示す構成図である。
【図３】ＮＡＰＴ変換情報の設定処理を示すフローチャートである。
【図４】アドレス変換テーブルの一例を示す図である。
【図５】本発明の第２の実施形態に係る呼処理システムの構成を示す構成図である。
【図６】アドレスの割り当て処理を示すフローチャートである。
【発明を実施するための形態】
【００１８】
以下、本発明の実施形態について説明する。
【００１９】
本実施形態では、加入者データを検索することなく、加入者データの優先度に基づいて設定されたＩＰアドレスとポート番号とを用いて、ＩＰレイヤでの呼の優先度を判別することにより、輻輳制御を低処理コストで行う。
【００２０】
［第１の実施形態］
図１は、本実施形態における、ＩＰアドレスとポート番号とを用いて呼の優先または非優先を判別し、輻輳制御を行う処理概要を説明するための説明図である。図示する呼処理システムでは、呼処理サーバ１（呼処理装置）と、ＮＡＰＴ装置２（アドレス変換装置）と、複数の端末とを有する。
【００２１】
呼処理サーバ１は、ＳＩＰなどの通信制御プロトコルにもとづいて、端末から送信された呼を制御する。ＮＡＰＴ装置２は、ＮＡＰＴ（Network Address Port Translation）により、各端末から送信される呼処理要求信号（ＩＰパケット）のＩＰアドレスおよびＴＣＰ／ＵＤＰのポート番号を変換する。
【００２２】
図示する例では、優先度が低い加入者１が使用する端末１の送信元アドレスを（１）端末１アドレスとし、端末１が呼処理サーバ１を宛先としてＮＡＰＴ装置２に呼処理要求信号を送信する際に使用する送信先アドレスを（２）ＮＡＰＴユーザ側アドレスとする。
【００２３】
ＮＡＰＴ装置２は、（１）端末１アドレスを（３）ＮＡＰＴ網内側アドレスに変換するとともに、（２）ＮＡＰＴユーザ側アドレスを（４）呼処理サーバアドレス＋非優先ポートに変換する。なお、（１）端末１アドレスおよび（２）ＮＡＰＴユーザ側アドレスは、グローバルアドレスであって、（３）ＮＡＰＴ網内側アドレスおよび（４）呼処理サーバアドレスは、プライベートアドレスである。
【００２４】
また、図示する例では、優先度が高い加入者２が使用する端末２の送信元アドレスを（５）端末２アドレスとし、端末２が呼処理サーバ１を宛先としてＮＡＰＴ装置２に呼処理要求信号を送信する際に使用する送信先アドレスを（６）ＮＡＰＴユーザ側アドレスとする。なお、（６）ＮＡＰＴユーザ側アドレスは、（２）ＮＡＰＴユーザ側アドレスと同じものである。
【００２５】
ＮＡＰＴ装置２は、（５）端末２アドレスを（７）ＮＡＰＴ網内側アドレスに変換するとともに、（６）ＮＡＰＴユーザ側アドレスを（８）呼処理サーバアドレス＋優先ポートに変換する。なお、（５）端末２アドレスおよび（６）ＮＡＰＴユーザ側アドレスは、グローバルアドレスであって、（７）ＮＡＰＴ網内側アドレスおよび（８）呼処理サーバアドレスは、プライベートアドレスである。また、（４）および（８）の呼処理サーバアドレスは、同じものである。
【００２６】
輻輳状態において、呼処理サーバ１は、ＮＡＰＴ装置２を介して呼処理要求信号を受信すると、当該呼処理要求信号の変換された送信先ポート番号を取得する。取得した送信先ポート番号が優先度の高い優先ポート番号の場合は、呼処理サーバ１は当該呼処理要求信号の呼処理を行い、取得した送信先ポート番号が優先度の低い非優先ポート番号の場合は、処理を行わず破棄する。
【００２７】
なお、呼処理サーバ１およびＮＡＰＴ装置２は、例えば、ＣＰＵと、メモリと、ＨＤＤ等の外部記憶装置とを備えた汎用的なコンピュータシステムを用いることができる。このコンピュータシステムにおいて、ＣＰＵがメモリ上にロードされた所定のプログラムを実行することにより、各装置の各機能が実現される。例えば、呼処理サーバ１およびＮＡＰＴ装置２の各機能は、呼処理サーバ１用のプログラムの場合は呼処理サーバ１のＣＰＵが、そして、ＮＡＰＴ装置２用のプログラムの場合はＮＡＰＴ装置２のＣＰＵがそれぞれ実行することにより実現される。
【００２８】
図２は、図１で説明した呼処理システムをより詳細に示す構成図である。
【００２９】
本実施形態では、ＤＨＣＰ（Dynamic Host Configuration Protocol）により各端末にＩＰアドレスを割り当てるとともに、各端末に呼処理サーバ１の優先ポートのポート番号または非優先ポートのポート番号を割り当てる。
【００３０】
図示する呼処理サーバ１は、呼処理部１１と、加入者データ記憶部１２と、ＮＡＰＴ制御部１３（制御手段）と、ＤＨＣＰ部１４（決定手段、アドレス割当手段）と、輻輳検知部１５とを有する。
【００３１】
呼処理部１１は、端末から送信された呼処理要求信号（ＩＰパケット）を処理する。加入者データ記憶部１２には、加入者毎に、加入者識別情報、優先度（高優先、低優先等）、ＩＰアドレスなどの加入者データが記憶される。
【００３２】
ＮＡＰＴ制御部１３は、後述するＮＡＰＴ変換情報をＮＡＰＴ装置２に送信し、アドレス変換テーブル２１を更新する。ＤＨＣＰ部１４は、加入者の優先度に応じて呼処理サーバ１のポート番号を決定するとともに、ＤＨＣＰにより加入者が使用する端末にＩＰアドレスを割り当てる。輻輳検知部１５は、呼処理サーバ１のＣＰＵ利用率を監視し、輻輳を検知すると輻輳検知信号を呼処理部１１に送出する。
【００３３】
ＮＡＰＴ装置２は、アドレス変換テーブル２１と、当該アドレス変換テーブル２１にデータを登録する登録部（不図示）と、端末から送信された呼処理要求信号の送信元アドレスおよび送信先アドレスを変換する変換部（不図示）とを有する。
【００３４】
次に、ＮＡＰＴ装置２へのＮＡＰＴ変換情報の設定処理について説明する。
【００３５】
図３は、ＮＡＰＴ装置２へのＮＡＰＴ変換情報の設定処理を示すフローチャートである。まず、ＮＡＰＴ制御部１３は、加入者データ記憶部１２に新たな加入者の加入者データを登録する（Ｓ１１）。加入者データとしては、例えば、加入者識別情報、優先度（高優先、低優先等）などである。
【００３６】
そして、ＤＨＣＰ部１４は、Ｓ１１で登録した加入者データの優先度に応じて、呼処理サーバ１のポート番号を決定する（Ｓ１２）。具体的には、図示する（４）および（８）のポート番号である。ＤＨＣＰ部１４は、高優先の加入者の場合は、呼処理サーバ１の優先ポートのポート番号を割り当て、低優先の加入者の場合は、呼処理サーバ１の非優先ポートのポート番号を割り当てる。
【００３７】
なお、ポート番号毎に、優先ポートであるか非優先のポートであるかを対応付けたテーブル等が呼処理サーバ１のメモリ等に記憶されているものとする。
【００３８】
そして、ＤＨＣＰ部１４は、Ｓ１１で登録した加入者の端末のＩＰアドレスを、ＤＨＣＰにより割り当て、割り当てた端末のＩＰアドレスを加入者データ記憶部１２に記憶する（Ｓ１３）。この割り当てたＩＰアドレスは、具体的には図示する（１）および（５）である。
【００３９】
そして、ＮＡＰＴ制御部１３は、ＮＡＰＴ変換情報をＮＡＰＴ装置２に送信し、ＮＡＰＴ装置２のアドレス変換テーブル２１を更新させる（Ｓ１４）。ＮＡＰＴ変換情報には、呼処理サーバ１のＩＰアドレスおよびＳ１２で決定したポート番号（図の（４）、（８））と、Ｓ１３で割り当てた端末のＩＰアドレス（図の（１）、（５））と、ＮＡＰＴユーザ側アドレス（図の（２）、（６））とが含まれる。
【００４０】
なお、呼処理サーバ１のＩＰアドレスおよびＮＡＰＴ網ユーザ側アドレスについては、あらかじめ呼処理サーバ１のメモリ等に記憶されているものとする。  
【００４１】
図４は、ＮＡＰＴ装置２に格納されるアドレス変換テーブル２１の一例を示す図である。図示するアドレス変換テーブル２１は、送信元アドレスを変換するための端末アドレス４１およびＮＡＰＴ網内側アドレス４３と、送信先アドレスを変換するためのＮＡＰＴユーザ側アドレス４２および呼処理サーバアドレス＋ポート番号４４とを有する。
【００４２】
ＮＡＰＴ装置２（登録部）は、呼処理サーバ１から送信されたＮＡＰＴ変換情報を、アドレス変換テーブル２１の端末アドレス４１、ＮＡＰＴユーザ側アドレス４２、および呼処理サーバアドレス＋ポート番号４４に設定する。ＮＡＰＴ網内側アドレス４３については、ＮＡＰＴ装置２が、あらかじめＮＡＰＴ装置２のメモリ等に記憶されたアドレスを設定する。
【００４３】
そして、呼処理サーバ１のＤＨＣＰ部１４は、Ｓ１３で割り当てた端末のＩＰアドレス（図の（１）、（５））と、ＮＡＰＴユーザ側アドレス（図の（２）、（６））とを、端末に送信する（Ｓ１５）。これにより、端末は、呼処理サーバ１にアクセスする際に、送信元アドレスとして端末のＩＰアドレス（図の（１）、（５））を設定し、送信先アドレスとしてＮＡＰＴユーザ側アドレス（図の（２）、（６））を設定する。
【００４４】
次に、呼処理サーバ１の輻輳検知部１５が輻輳を検知し、輻輳検知信号を呼処理部１１に送出した場合（すなわち輻輳状態時）に、端末から送信された呼処理要求信号を処理する呼処理について説明する。
【００４５】
まず、優先度が低優先の加入者１の端末１の場合について説明する。端末１は、ＩＮＶＩＴＥなどの呼処理要求信号を、ＮＡＰＴ装置２を介して呼処理サーバ１に送信する。この端末１から送信される呼処理要求信号の送信元アドレスには（１）端末１アドレスが設定され、送信先アドレスには呼処理サーバ１を意味する（２）ＮＡＰＴユーザ側アドレスが設定される。
【００４６】
ＮＡＰＴ装置２（変換部）は、呼処理要求信号の送信元アドレスおよび送信先アドレスを、アドレス変換テーブル２１を用いて変換する。すなわち、送信元アドレスである（１）端末１アドレスを（３）ＮＡＰＴ網内側アドレスに変換するとともに、（２）ＮＡＰＴユーザ側アドレスを（４）呼処理サーバアドレス＋ポート番号に変換する。ここで、端末１の加入者の優先度は低優先であるため、変換される（４）呼処理サーバアドレス＋ポート番号のポート番号は「非優先ポート」のポート番号である。
【００４７】
そして、ＮＡＰＴ装置２（変換部）は、アドレス変換後の呼処理要求信号を、呼処理サーバ１に送信する。
【００４８】
このとき、呼処理サーバ１は、輻輳状態であるため、呼処理サーバ１の呼処理部１１は、呼処理要求信号の送信先アドレスのポート番号を取得し、当該ポート番号が、優先ポートであるか非優先ポートであるかを判別する。前述のとおり、端末１が送信する呼処理要求信号は、「非優先ポート」のポート番号に変換されているため、呼処理部１１は、当該呼処理要求信号を処理することなく破棄する。なお、呼処理部１１は、前述のポート番号毎に優先ポートであるか非優先のポートであるかを対応付けたテーブル等を参照し、優先ポートであるか非優先ポートであるかを判別する。
【００４９】
次に、優先度が高優先の加入者２の端末２の場合について説明する。端末２は、ＩＮＶＩＴＥなどの呼処理要求信号を、ＮＡＰＴ装置２を介して呼処理サーバ１に送信する。この端末１から送信される呼処理要求信号の送信元アドレスには（５）端末２アドレスが設定され、送信先アドレスには呼処理サーバ１を意味する（６）ＮＡＰＴユーザ側アドレスが設定される。
【００５０】
ＮＡＰＴ装置２（変換部）は、呼処理要求信号の送信元アドレスおよび送信先アドレスを、アドレス変換テーブル２１を用いて変換する。すなわち、送信元アドレスである（５）端末２アドレスを（７）ＮＡＰＴ網内側アドレスに変換するとともに、（６）ＮＡＰＴユーザ側アドレスを（８）呼処理サーバアドレス＋ポート番号に変換する。ここで、端末２の加入者２の優先度は高優先であるため、変換される（８）呼処理サーバアドレス＋ポート番号のポート番号は「優先ポート」のポート番号である。
【００５１】
そして、ＮＡＰＴ装置２（変換部）は、アドレス変換後の呼処理要求信号を、呼処理サーバ１に送信する。
【００５２】
このとき、呼処理サーバ１は輻輳状態であるため、呼処理サーバ１の呼処理部１１は、呼処理要求信号の送信先アドレスのポート番号を取得し、当該ポート番号が、優先ポートであるか非優先ポートであるかを判別する。前述のとおり、端末２が送信する呼処理要求信号は、「優先ポート」のポート番号に変換されているため、呼処理部１１は、当該呼処理要求信号を処理する。
【００５３】
［第２の実施形態］
図５は、第２の実施形態における呼処理システムの構成を示す構成図である。
【００５４】
本実施形態の呼処理システムは、呼処理サーバ１と、複数の端末とを有し、各端末から送信された呼処理要求信号は、ＮＡＰＴ装置を介することなく、呼処理サーバ１に送信される。
【００５５】
図示する呼処理サーバ１は、呼処理部１１と、加入者データ記憶部１２と、ＤＨＣＰ部１４（決定手段、アドレス割当手段）と、輻輳検知部１５とを有する。
【００５６】
呼処理部１１は、端末から送信された呼処理要求信号（ＩＰパケット）を処理する。加入者データ記憶部１２には、加入者毎に、加入者識別情報、優先度（高優先、低優先等）、ＩＰアドレスなどの加入者データが記憶される。
【００５７】
ＤＨＣＰ部１４は、ＤＨＣＰにより加入者が使用する端末にＩＰアドレスを割り当てるとともに、加入者の優先度に応じて呼処理サーバ１のポート番号を決定する。輻輳検知部１５は、呼処理サーバ１のＣＰＵ利用率を監視し、輻輳を検知すると輻輳検知信号を呼処理部１１に送出する。
【００５８】
次に、各端末にアドレスを割り当てる処理について説明する。
【００５９】
図６は、端末にアドレスを割り当てる処理を示すフローチャートである。まず、ＤＨＣＰ部１４は、加入者データ記憶部１２に新たな加入者の加入者データを登録する（Ｓ２１）。加入者データとしては、例えば、加入者識別情報、優先度（高優先、低優先等）などである。
【００６０】
そして、ＤＨＣＰ部１４は、Ｓ１１で登録した加入者データの優先度に応じて、呼処理サーバ１のポート番号を決定する（Ｓ２２）。具体的には、図示する（４）および（８）のポート番号である。ＤＨＣＰ部１４は、高優先の加入者の場合は、呼処理サーバ１の優先ポートのポート番号を割り当て、低優先の加入者の場合は、呼処理サーバ１の非優先ポートのポート番号を割り当てる。なお、ポート番号毎に、優先ポートであるか非優先のポートであるかを対応付けたテーブル等が呼処理サーバ１のメモリ等に記憶されているものとする。
【００６１】
そして、ＤＨＣＰ部１４は、Ｓ２１で登録した加入者の端末のＩＰアドレスを、ＤＨＣＰにより割り当て、加入者データ記憶部１２に記憶する（Ｓ２３）。この割り当てたＩＰアドレスは、具体的には図示する（１）および（５）である。
【００６２】
そして、ＤＨＣＰ部１４は、Ｓ２３で割り当てた端末のＩＰアドレス（図の（１）、（５））と、呼処理サーバ１のＩＰアドレスおよびＳ２２で決定したポート番号（図の（４）、（８））とを、端末に送信する（Ｓ２４）。なお、呼処理サーバ１のＩＰアドレスについては、当該呼処理サーバ１のメモリ等に記憶されているものとする。これにより、端末は、呼処理サーバ１にアクセスする際に、送信元アドレスとして端末のＩＰアドレス（図の（１）、（５））を設定し、送信先アドレスとして呼処理サーバ１のＩＰアドレス＋ポート番号（図の（４）、（８））を設定する。
【００６３】
次に、呼処理サーバ１の輻輳検知部１５が輻輳を検知し、輻輳検知信号を呼処理部１１に送出した場合（すなわち輻輳状態時）に、端末から送信された呼を処理する呼処理について説明する。
【００６４】
まず、優先度が低優先の加入者１の端末１の場合について説明する。端末１は、ＩＮＶＩＴＥなどの呼処理要求信号（ＩＰパケット）を、呼処理サーバ１に送信する。この端末１から送信される呼処理要求信号の送信元アドレスには（１）端末１アドレスが設定され、送信先アドレスには（４）呼処理サーバアドレス＋ポート番号が設定される。
【００６５】
このとき、呼処理サーバ１は輻輳状態であるため、呼処理サーバ１の呼処理部１１は、呼処理要求信号の送信先アドレスのポート番号を取得し、当該ポート番号が優先ポートであるか非優先ポートであるかを判別する。ここでは、加入者１の優先度は低優先であるため、端末１が送信する呼処理要求信号の送信先アドレスには、「非優先ポート」のポート番号が設定されている。したがって、呼処理部１１は、当該呼処理要求信号を処理することなく破棄する。なお、呼処理部１１は、前述のポート番号毎に優先ポートであるか非優先のポートであるかを対応付けたテーブル等を参照し、優先ポートであるか非優先ポートであるかを判別する。
【００６６】
次に、優先度が高優先の加入者２の端末２の場合について説明する。端末２は、呼処理要求信号を、呼処理サーバ１に送信する。この端末２から送信される呼処理要求信号の送信元アドレスには（５）端末２アドレスが設定され、送信先アドレスには（８）呼処理サーバアドレス＋ポート番号が設定される。
【００６７】
このとき、呼処理サーバ１は輻輳状態であるため、呼処理サーバ１の呼処理部１１は、呼処理要求信号の送信先アドレスのポート番号を取得し、当該ポート番号が優先ポートであるか非優先ポートであるかを判別する。ここでは、加入者２の優先度は高優先であるため、端末２が送信する呼処理要求信号の送信先アドレスには「優先ポート」のポート番号が設定されている。したがって、呼処理部１１は、当該呼処理要求信号を処理する。
【００６８】
以上説明した第１および第２の実施形態の呼処理サーバは、輻輳状態において、端末から送信された呼処理要求信号のうち、送信先アドレスに優先ポートのポート番号が設定された呼処理要求信号のみを処理し、非優先ポートのポート番号が設定された呼処理要求信号については処理することなく破棄する。これにより、本実施形態では、加入者データを検索することなく、加入者データの優先度に基づいて設定されたポート番号を用いて、ＩＰレイヤでの呼の優先度を判別することにより、輻輳制御を低処理コストで行うことができる。すなわち、呼処理サーバにおける輻輳状態を解消するために、加入者データの検索処理を行うことなく、比較的処理コストが低い方法で呼の優先度の判別を行うことができる。
【００６９】
なお、本発明は上記実施形態に限定されるものではなく、その要旨の範囲内で数々の変形が可能である。
【符号の説明】
【００７０】
１      呼処理サーバ
１１    呼処理部
１２    加入者データ記憶部
１３    ＮＡＰＴ制御部
１４    ＤＨＣＰ部
１６    輻輳検知部
２      ＮＡＰＴ装置
２１    アドレス変換テーブル
【図１】
2011049678.tif 000003
【図２】
2011049678.tif 000004
【図３】
2011049678.tif 000005
【図４】
2011049678.tif 000006
【図５】
2011049678.tif 000007
【図６】
2011049678.tif 000008